(57)【要約】【課題】従来においては、生体の抹消部の手の指において血圧を測定する場合、従来の上腕部における血圧測定に比べて低い圧力でカフの内圧を制御する必要があり、従来上腕部において測定する血圧計に使用されてきたカフ、空気供給ポンプ及び圧力計を使用した場合、誤差が発生するという課題があった。【解決手段】上記課題を解決するために、本発明のカフは、カフ内圧が所定の値を超えると生体に接して圧迫するようにし、さらに、内圧を従来のカフと同程度の比較的高い圧力としても、カフが生体の一部を圧迫する圧力を低くすることにより、生体の抹消部において測定する血圧計に従来の上腕部で測定する血圧計用の空気ポンプ及び圧力計などを使用可能とし、正確に血圧を測定する血圧計及び血圧測定方法を実現している。【選択図】図１
2006280770.tif 000002
【特許請求の範囲】
【請求項１】
内圧によって生体の一部を圧迫する圧力を発生するカフを備える血圧計であって、
前記カフは内圧が２０ｍｍＨｇを超えると前記生体の一部に接することを特徴とする血圧計。
【請求項２】
前記カフは生体の一部を圧迫する圧力が前記内圧から前記生体の一部に接したときの内圧を差し引いた値の２分の１以上１０分の９以下であることを特徴とする請求項１に記載の血圧計。
【請求項３】
前記カフは前記生体の一部を圧迫する圧力が前記内圧よりも４０ｍｍＨｇ以上２８０ｍｍＨｇ以下低いことを特徴とする請求項１に記載の血圧計。
【請求項４】
予め測定した内圧と生体の一部を圧迫する圧力との関係を用いて、測定した内圧から前記生体の一部を圧迫する圧力を算出する算出部をさらに備えることを特徴とする請求項１から３に記載のいずれかの血圧計。
【請求項５】
前記生体の一部と前記カフの接触面に前記生体の一部を圧迫する圧力を検出する圧力センサをさらに備えることを特徴とする請求項１から３に記載のいずれかの血圧計。
【請求項６】
内圧が２０ｍｍＨｇを超えると生体の一部に接するカフにより前記生体の一部を圧迫して血圧を測定する血圧測定方法。
【請求項７】
前記生体の一部を圧迫する圧力が前記内圧から前記生体の一部に接したときの内圧を差し引いた値の２分の１以上１０分の９以下である前記カフにより前記生体の一部を圧迫して血圧を測定することを特徴とする請求項６に記載の血圧測定方法。
【請求項８】
前記生体の一部を圧迫する圧力が前記内圧よりも４０ｍｍＨｇ以上２８０ｍｍＨｇ以下低いカフにより前記生体の一部を圧迫して血圧を測定することを特徴とする請求項６に記載の血圧測定方法。
【請求項９】
予め測定した内圧と生体の一部を圧迫する圧力との関係を用いて、測定した内圧から前記生体の一部を圧迫する圧力を算出することを特徴とする請求項６から８に記載のいずれかの血圧測定方法。
【請求項１０】
前記生体の一部と前記カフとの接触面で前記生体の一部を圧迫する圧力を検出することを特徴とする請求項６から８に記載のいずれかの血圧測定方法。
【発明の詳細な説明】
【技術分野】
【０００１】
本発明は、生体の一部の血圧を測定する血圧計及び血圧測定方法に関する。
【背景技術】
【０００２】
高齢化の進展により、成人の高血圧などの生活習慣病への対応が注目されている。特に高血圧症の場合、長期間の血圧データの継続的な収集が重要であると認識されている。日常生活において、継続的に血圧を測定する場合、従来広く利用されている上腕部による測定よりも、指や耳などの生体の抹消部において測定する方が便利であり、各種の抹消部において測定する血圧計が開発されている。
【０００３】
抹消部において測定される血圧は、抹消血管が細いために、従来から一般に使用されている上腕部において測定する血圧に比べて低い傾向があり、特に、耳において血圧を測定する場合は、心臓と耳との高さの差に相当する血圧の差が生じ、さらに低い値となる。従って、抹消部においてカフにより生体を圧迫して測定する血圧測定においては、従来の上腕部における血圧測定よりも低い圧力の空気を制御する必要がある。しかし、制御する空気の圧力が低くなると、大気圧に近づくために空気圧の制御の誤差が大きくなる傾向にあり、抹消部において測定される血圧計に、従来の上腕部で測定する血圧計用の空気ポンプ及び圧力計を利用した場合、誤差が大きくなるという課題があった。
【０００４】
また、生体の抹消部において血圧を測定する血圧計のカフの従来の例としては、指により血圧を測定する場合のカフが開示されている（例えば、特許文献１参照。）。上記の従来例においては、階段状の断面を持つピラミッド型のカフにより指を圧迫し、指の太さに拘わらず指を圧迫する面積のアスペクト比を一定にするカフの構成が示されているが、この場合も、抹消部において測定する血圧計において測定誤差を少なくするカフ、空気ポンプ及び圧力計などの構成は述べられていない。
【０００５】
一方、上腕部において測定する血圧計用のカフとしては、カフの内部における摩擦を軽減するための構造（例えば、特許文献２参照。）により、カフの内圧がカフの膨張などで減圧されることなく上腕部へ伝達されるための改善策が検討され、いくつかの成果が示されている。
【特許文献１】特開平７−２５５６８７号公報
【特許文献２】特開２００４−２６１４９４号公報
【発明の開示】
【発明が解決しようとする課題】
【０００６】
上記の従来例（特許文献２）においては、生体の抹消部の手の指において血圧を測定する場合、従来の上腕部における血圧測定に比べて低い圧力でカフの内圧を制御する必要があり、従来上腕部において測定する血圧計に使用されてきたカフ、空気供給ポンプ及び圧力計を使用した場合、誤差が発生するという課題があった。
【課題を解決するための手段】
【０００７】
上記課題を解決するために、本発明のカフは、カフ内圧が所定の値を超えると生体に接して圧迫するようにし、さらに、内圧を従来のカフと同程度の比較的高い圧力としても、カフが生体の一部を圧迫する圧力を低くすることにより、生体の抹消部において測定する血圧計に従来の上腕部で測定する血圧計用の空気ポンプ及び圧力計などを使用可能とし、正確に血圧を測定する血圧計及び血圧測定方法を実現している。
【０００８】
具体的には、本発明の血圧計は、内圧によって生体の一部を圧迫する圧力を発生するカフを備える血圧計であって、前記カフは内圧が２０ｍｍＨｇを超えると前記生体の一部に接することを特徴とする血圧計である。
【０００９】
上記のように、本発明の血圧計は、前記カフの内圧が２０ｍｍＨｇを超えると前記生体の一部に接して圧迫する構成として、制御の容易な２０ｍｍＨｇを超える圧力で血圧を測定することにより、例えば、生体の抹消部において、比較的低い血圧を正確に測定することができる。
【００１０】
本発明の血圧計は、前記カフが生体の一部を圧迫する圧力が前記内圧から前記生体の一部に接したときの内圧を差し引いた値の２分の１以上１０分の９以下としてもよい。
【００１１】
上記のように、本発明の血圧計は、前記カフが生体の一部を圧迫する圧力が前記内圧から前記生体の一部に接したときの内圧を差し引いた値の２分の１以上１０分の９以下とすることにより、前記カフの内圧は従来の上腕部において測定する血圧計のカフの内圧と同程度でありながら、前記カフは抹消部において測定する血圧計に適した比較的低い圧力で生体の一部を圧迫するので、生体の抹消部において比較的低い血圧を測定する血圧計においても、比較的高い圧力の空気を制御して正確に血圧を測定することができる。さらに、従来から使用実績の多い上腕部において測定する血圧計用の空気ポンプ及び圧力計などを使用することができるので、正確に血圧を測定することができる。
【００１２】
本発明の血圧計は、前記カフが前記生体の一部を圧迫する圧力が前記内圧よりも４０ｍｍＨｇ以上２８０ｍｍＨｇ以下低くしてもよい。
【００１３】
上記のように、本発明の血圧計は、前記カフの内圧と、前記カフが前記生体の一部を圧迫する圧力が前記内圧よりも４０ｍｍＨｇ以上２８０ｍｍＨｇ以下低くすることにより、前記カフの内圧は従来の上腕部において測定する血圧計のカフの内圧と同程度でありながら、前記カフは抹消部において測定する血圧計に適した比較的低い圧力で生体の一部を圧迫するので、生体の抹消部において比較的低い血圧を測定する血圧計においても、比較的高い圧力の空気を制御して正確に血圧を測定することができる。さらに、従来から使用実績の多い上腕部において測定する血圧計用の空気ポンプ及び圧力計などを使用することができるので、正確に血圧を測定することができる。
【００１４】
本発明の血圧計は、予め測定した内圧と生体の一部を圧迫する圧力との関係を用いて、測定した内圧から前記生体の一部を圧迫する圧力を算出する算出部をさらに備えてもよい。
【００１５】
上記のように、本発明の血圧計は、予め測定した内圧と生体の一部を圧迫する圧力との関係を用いて、測定した内圧から前記生体の一部を圧迫する圧力を算出する算出部をさらに備えることにより、前記カフの内圧を測定した結果から前記カフが前記生体の一部を圧迫する圧力を、正確に算出することができるので、正確に血圧を測定することができる。
【００１６】
本発明の血圧計は、前記生体の一部と前記カフの接触面に前記生体の一部を圧迫する圧力を検出する圧力センサをさらに備えてもよい。
【００１７】
上記のように、本発明の血圧計は、前記生体の一部と前記カフとの接触面に前記カフが前記生体の一部を圧迫する圧力を検出する圧力センサをさらに備えることにより、前記カフが生体の一部を圧迫する圧力を、正確に検出することができるので、正確に血圧を測定することができる。
【００１８】
本発明の血圧測定方法は、内圧が２０ｍｍＨｇを超えると生体の一部に接するカフにより前記生体の一部を圧迫して血圧を測定する血圧測定方法である。
【００１９】
上記のように、本発明の血圧測定方法は、内圧が２０ｍｍＨｇを超えると生体の一部に接して圧迫するカフに、制御の容易な２０ｍｍＨｇを超える圧力の空気を供給して測定することにより、例えば、生体の抹消部において、比較的低い血圧を正確に測定することができる。
【００２０】
本発明の血圧測定方法は、前記生体の一部を圧迫する圧力が前記内圧から前記生体の一部に接したときの内圧を差し引いた値の２分の１以上１０分の９以下である前記カフにより前記生体の一部を圧迫して血圧を測定してもよい。
【００２１】
上記のように、本発明の血圧測定方法は、前記生体の一部を圧迫する圧力が前記内圧から前記生体の一部に接したときの内圧を差し引いた値の２分の１以上１０分の９以下である前記カフにより前記生体の一部を圧迫して血圧を測定することにより、前記カフの内圧を従来の血圧測定方法のカフの内圧と同程度としながら、前記カフにより抹消部における血圧測定に適した比較的低い圧力で生体の一部を圧迫するので、生体の抹消部における比較的低い血圧の測定においても、比較的高い圧力の空気を制御して正確に血圧を測定することができる。さらに、従来から実績の多い上腕部において測定する血圧測定の方法と同様の方法で前記カフに空気を供給し、さらに前記カフの空気圧を測定することができるので、正確に血圧を測定することができる。
【００２２】
本発明の血圧測定方法では、前記生体の一部を圧迫する圧力が前記内圧よりも４０ｍｍＨｇ以上２８０ｍｍＨｇ以下低いカフにより前記生体の一部を圧迫して血圧を測定してもよい。
【００２３】
上記のように、本発明の血圧測定方法は、前記生体の一部を圧迫する圧力が前記内圧よりも４０ｍｍＨｇ以上２８０ｍｍＨｇ以下低いカフで前記生体の一部を圧迫して血圧を測定することにより、前記カフの内圧を従来の血圧測定方法のカフの内圧と同程度としながら、前記カフにより抹消部における血圧測定に適した比較的低い圧力で生体の一部を圧迫するので、生体の抹消部における比較的低い血圧の測定においても、比較的高い圧力の空気を制御して正確に血圧を測定することができる。さらに、従来から実績の多い上腕部において測定する血圧測定の方法と同様の方法で前記カフに空気を供給し、前記カフの空気圧を測定することができるので、正確に血圧を測定することができる。
【００２４】
本発明の血圧測定方法では、予め測定した内圧と生体の一部を圧迫する圧力との関係を用いて、測定した内圧から前記生体の一部を圧迫する圧力を算出してもよい。
【００２５】
上記のように、本発明の血圧測定方法は、予め測定した前記カフの内圧と前記カフが前記生体の一部を圧迫する圧力との関係を用いて、測定した前記カフの内圧から前記カフが前記生体の一部を圧迫する圧力を算出することにより、前記カフの内圧を測定した結果から前記カフが前記生体の一部を圧迫する圧力を正確に算出することができるので、正確に血圧を測定することができる。
【００２６】
本発明の血圧測定方法では、前記生体の一部と前記カフとの接触面で前記生体の一部を圧迫する圧力を検出してもよい。
【００２７】
上記のように、本発明の血圧測定方法は、前記生体の一部と前記カフとの接触面で前記カフが前記生体の一部を圧迫する圧力を検出することにより、前記カフが生体の一部を圧迫する圧力を正確に検出することができるので、正確に血圧を測定することができる。
【発明の効果】
【００２８】
本発明によれば、圧力の制御が容易な比較的高い圧力の空気を制御して正確に圧力を測定できるので、生体の抹消部において比較的低い血圧を、正確に測定することができる。
【発明を実施するための最良の形態】
【００２９】
添付の図面を参照して本発明の実施の形態を説明する。
以下に説明する実施の形態は本発明の構成の例であり、本発明は、以下の実施の形態に制限されるものではない。
【００３０】
（第１の実施の形態）
本発明の第１の実施の形態の血圧計は、内圧によって生体の一部を圧迫する圧力を発生するカフを備える血圧計であって、前記カフは内圧が２０ｍｍＨｇを超えると前記生体の一部に接する血圧計である。
【００３１】
本発明の第１の実施の形態の血圧計の構成を説明する。
図１に本発明の実施の形態の血圧計の構成を示す。図１において、第１の実施の形態の血圧計１０は、カフ１１、カフ枠１３、空気パイプ１６、空気パイプ１７、フレーム２１、空気供給部３１、圧力検出部３２、脈波検出部３３、血圧演算部３４、信号線４１、信号線４２により構成されている。ここで、図１及び以下の図においては、血圧計を制御する制御部、あるいは電源などの通常の技術により実現できる部分は表示していない。
【００３２】
カフ枠１３は金属又はプラスチックなどで作製され、一方の端面が開放された円筒状、又は矩形の底面を持つ筒状の形状であり、他方の開放されていない端面、すなわち底面の外側の面はフレーム２１の対向する内側の一方の面に固定されており、カフ枠１３の内部の空間の底面の内側にはカフ１１の一方の端面が固定されており、カフ枠１３の底面近傍の側面の内側の面にはカフ１１の側面が接している。
【００３３】
カフ１１の他の端面としての生体圧迫面１２は内圧が２０ｍｍＨｇを超えない範囲では、カフ枠１３の側面の開放された端面よりも底面側にあり生体１の一部に接しないように、カフ１１は構成されている。
【００３４】
カフ１１は空気パイプ１６により空気供給部３１に接続されている。また、カフ１１は空気パイプ１７により圧力検出部３２に接続され、圧力検出部３２の出力端子は信号線４１により血圧演算部３４の圧力信号入力端子に接続されている。
【００３５】
フレーム２１の対向する内側の他方の面と、カフ枠１３の開放された端面側の側面の端部と、は生体１の一部を挟むように保持している。ここで、フレーム２１の対向する内側の面の相互の間隔は生体１の大きさに応じて可変できる機構を備えることが好ましいが、図１においては図面の煩雑さを避けるために図示していない。
【００３６】
脈波検出部３３は、フレーム２１と生体１の一部との接触面の一部に、生体１に接するように設けられている。脈波検出部３３はカフ枠１３とフレーム２１とが挟むように保持している位置よりも、生体１の抹消側に配置されていることが望ましい。脈波検出部３３の検出した脈波は出力端子を介して信号線４２により血圧演算部３４の脈波信号入力端子に接続されている。
【００３７】
次に、本発明の第１の実施の形態の血圧計１０を構成する各部の機能を説明する。
空気供給部３１は空気パイプ１６を介してカフ１１に空気を供給する機能を有する。
【００３８】
カフ１１は内部の空間に空気パイプ１６を介して空気供給部３１から空気の供給を受けると膨張し、側面はカフ枠１３に接しているので生体圧迫面１２がカフ枠１３の底面と反対の方向へ移動し、内圧が２０ｍｍＨｇを超えると生体圧迫面１２はカフ枠１３の側面の端部の位置に達し、生体１の一部に接触して圧迫する機能を有する。
【００３９】
図２にカフ内圧と生体を圧迫する圧力の関係を模式的に示す。図２において、横軸はカフの内圧（Ｐ）、縦軸はカフが生体を圧迫する生体圧迫圧力（Ｑ）を示しており、一般的なカフの一例をカフＡ５１として、また、カフＡ５１を第１の実施の形態のカフ１１として使用した場合の特性をカフＢ６１として示している。また、図２においてＰ０はカフ１１の内圧が上昇した時に、カフ１１が生体１の一部に接して圧迫を開始する内圧であり、第１の実施の形態の血圧計１０においては２０ｍｍＨｇである。
【００４０】
図２において、カフＡ５１の特性は内圧をＰ１とＰ２の間とした場合、生体圧迫圧力はＱＡ１とＱＡ２の間となり、カフＡの血圧測定範囲５２の血圧を測定できることを示しており、一方カフＢ６１の場合は、内圧がＰ０を超える圧力となった状態で生体圧迫圧力が発生し、カフ内圧がＰ１とＰ２の間では、生体圧迫圧力はＱＢ１とＱＢ２の間となり、カフＡの血圧測定範囲５２よりも低いカフＢの血圧測定範囲６２の血圧を測定できることを示している。上記のように、第１の実施の形態の血圧計１０は、比較的高い内圧により、比較的低い血圧を測定することができる。ここで、図２に示すＰ０を空気圧の精密な制御が困難な圧力の上限値に設定すれば、内圧がＰ０超えない圧力、すなわち空気圧の精密な制御が困難な範囲の圧力では血圧を測定することなく、Ｐ０超える空気圧の精密な制御が容易な範囲の圧力により、比較的低い血圧を測定することができる。
【００４１】
さらに、カフ１１は、生体１の一部を圧迫する圧力が内圧から生体１の一部に接したときの内圧を差し引いた値の２分の１以上１０分の９以下となるように構成してもよい。上記の場合のカフ１１の内圧と生体圧迫圧力の関係は図３に示す斜線部分である。さらに、カフ１１は、生体１の一部を圧迫する圧力が内圧よりも４０ｍｍＨｇ以上２８０ｍｍＨｇ以下低くとなるように構成してもよい。上記の場合のカフ１１の内圧と生体圧迫圧の関係は図４に示す太線及び斜線部分の内部である。
【００４２】
上記のように、カフ１１が図３及び図４に示す特性の場合、第１の実施の形態の血圧計１０は、比較的高い内圧により、内圧より低い血圧を測定することができる。
【００４３】
カフ枠１３の開放された端面は、フレーム２１の対向する内側の他方の面との間で生体１の一部を挟むように接して保持する機能を有し、また、カフ枠１３は底面にカフ１１を固定し、さらにカフ１１が膨張する時にカフ１１の側面を拘束し側面方向へ膨張するのを阻止する機能を有する。
【００４４】
圧力検出部３２は空気パイプ１７を介して、カフ１１の内圧を検出し、検出した内圧を示す信号を血圧演算部３４へ信号線４１を介して送信する機能を有する。
【００４５】
脈波検出部３３は、生体１の一部において脈波を検出し、前記脈波を検出した結果を示す信号を血圧演算部３４の脈波信号入力端子へ信号線４２を介して送信する機能を有する。
【００４６】
血圧演算部３４は、信号線４１を介して受信する圧力検出部３２が検出したカフ１１の内圧を示す信号からカフ１１が生体１の一部を圧迫する圧力を演算し、演算したカフ１１が生体１の一部を圧迫する圧力と、信号線４２を介して受信する脈波検出部３３が検出した脈波を示す信号から、生体１の血圧を演算して血圧値を表示する機能を有する。ここで、血圧演算部３４がカフ１１の内圧から、カフ１１が生体１の一部を圧迫する圧力を演算する方法としては、例えば、カフ１１の内圧とカフ１１が生体１の一部を圧迫する圧力の関係を示す計算式により計算する方法でもよい。また、血圧演算部３４がカフ１１が生体１の一部を圧迫する圧力と生体１の脈波から血圧を演算する方法は、一般に広く利用されている上腕部においてカフにより測定する血圧計と同様である。
【００４７】
フレーム２１はカフ枠１３を保持し、さらに脈波検出部３３を保持し、対向する内側の他方の面と、カフ枠１３の開放された端面を介して、生体１の一部を挟むように接して保持する機能を有する。
【００４８】
上記のように、第１の実施の形態の血圧計１０は、比較的血圧の低い抹消部において、カフ１１の内圧が２０ｍｍＨｇを超えると生体１の一部に接し、制御の容易な比較的高い圧力により血圧を測定することがでるので、比較的低い血圧を正確に測定することができる。さらに、カフ１１として、生体１の一部を圧迫する圧力が内圧から生体１の一部に接したときの内圧を差し引いた値の２分の１以上１０分の９以下、又は生体１の一部を圧迫する圧力が内圧よりも４０ｍｍＨｇ以上２８０ｍｍＨｇ以下低いカフを使用することにより、制御の容易な高い圧力により、低い血圧を正確に測定することができる。また、従来から使用実績の多い上腕部において測定する血圧計用の空気ポンプ及び圧力計を使用することが可能となるので、正確に血圧を測定することができる。
【００４９】
（第２の実施の形態）
本発明の第２の実施の形態の血圧測定方法は、内圧が２０ｍｍＨｇを超えると生体の一部に接するカフにより前記生体の一部を圧迫して血圧を測定する血圧測定方法である。
【００５０】
上記のように、本発明の第２の実施の形態の血圧測定方法は、前記カフの内圧を制御が容易な２０ｍｍＨｇを超える圧力で前記生体の一部に接するようにして血圧を測定する血圧測定方法である。
【００５１】
本発明の第２の実施の形態の血圧測定方法は、図１により説明した第１の実施の形態の血圧計１０の空気供給部３１と同様な動作で、前記カフに空気を供給し、さらに、内圧が２０ｍｍＨｇを超えると生体の一部に接するカフにより、第１の実施の形態の血圧計１０のカフ１１と同様な動作で、前記生体の一部を圧迫する。
【００５２】
ここで、前記生体の一部を圧迫する場合、第１の実施の形態の血圧計１０のカフ１１と同様に、内圧から生体１の一部に接したときの内圧を差し引いた値の２分の１以上１０分の９以下となる圧力、又は内圧よりも４０ｍｍＨｇ以上２８０ｍｍＨｇ以下低い圧力により生体１の一部を圧迫してもよい。
【００５３】
次に、第１の実施の形態の血圧計１０の圧力検出部３２と同様な動作で、前記カフの内圧を検出し、検出した前記カフの内圧から第１の実施の形態の血圧計１０の血圧演算部３４と同様な動作で、前記カフが前記生体の一部を圧迫する圧力を演算して求める。
【００５４】
次に、上記のように演算して求めた前記カフが前記生体の一部を圧迫する圧力と、第１の実施の形態の血圧計１０の脈波検出部３３と同様な動作で検出した前記生体の一部の脈波により、第１の実施の形態の血圧計１０の血圧演算部３４と同様な動作で、前記生体の血圧を測定する。
【００５５】
上記のように、第２の実施の形態の血圧測定方法は、内圧が２０ｍｍＨｇを超えると生体の一部に接するカフを使用することにより、制御の容易な比較的高い圧力により血圧を測定することができるので、比較的低い血圧を正確に測定することができる。さらに、生体１の一部を圧迫する圧力を内圧から生体１の一部に接したときの内圧を差し引いた値の２分の１以上１０分の９以下、又は生体１の一部を圧迫する圧力が内圧よりも４０ｍｍＨｇ以上２８０ｍｍＨｇ以下低いカフを使用することにより、制御の容易な高い圧力で、低い血圧を正確に測定することができる。また、従来から使用実績の多い上腕部において測定する血圧測定方法の空気供給方法及び圧力検出方法を使用することが可能となるので、正確に血圧を測定することができる。
【００５６】
（第３の実施の形態）
本発明の第３の実施の形態の血圧計は、本発明の第１の実施の形態で説明した血圧計が、予め測定した内圧と生体の一部を圧迫する圧力との関係を用いて、測定した内圧から前記生体の一部を圧迫する圧力を算出する算出部をさらに備える場合である。
【００５７】
図５に、第３の実施の形態の血圧計の構成を示す。図５において、第３の実施の形態の血圧計１０は、図１に示す第１実施の形態の血圧計１０の信号線４１に代えて、算出部３５、信号線４３及び信号線４４を備え、圧力検出部３２の出力端子を信号線４３により算出部３５の入力端子に接続し、さらに算出部３５の出力端子を信号線４４により血圧演算部３４の圧力入力端子に接続した構成であり、上記以外の第３の実施の形態の血圧計１０の構成は、図１に示す第１の実施の形態の血圧計１０と同様である。
【００５８】
また、第３の実施の形態の血圧計１０の算出部３５及び血圧演算部３４以外の機能は、図１により説明した第１の実施の形態の血圧計１０と同様であるので、ここでは、第３の実施の形態の血圧計１０の算出部３５及び血圧演算部３４の機能のみを説明する。
【００５９】
算出部３５は予め測定したカフ１１の内圧とカフ１１が生体１の一部を圧迫する圧力との関係を記憶しており、圧力検出部３２が検出したカフ１１の内圧を示す信号を受信し、受信したカフ１１の内圧を示す信号と、記憶している予め測定したカフ１１の内圧とカフ１１が生体１の一部を圧迫する圧力との関係から、カフ１１が生体１の一部を圧迫する圧力を算出し、算出したカフ１１が生体１の一部を圧迫する圧力を示す信号を血圧演算部３４の圧力入力端子へ信号線４４を介して送信する機能を有する。
【００６０】
血圧演算部３４は脈波検出部３３から受信する生体１の一部の脈波を示す信号と、算出部３５から受信するカフ１１が生体１の一部を圧迫する圧力を示す信号から、図１により説明した血圧計１０と同様に血圧を演算して、表示する機能を有する。
【００６１】
上記のように、第３の実施の形態の血圧計１０は、予め測定したカフ１１の内圧と生体１の一部を圧迫する圧力との関係を用いて、測定したカフ１１の内圧から生体１の一部を圧迫する圧力を算出する算出部３５を備えることにより、正確に血圧を測定することができる。
【００６２】
（第４の実施の形態）
本発明の第４の実施の形態の血圧測定方法は、本発明の第２の実施の形態の血圧測定方法において、予め測定した内圧と生体の一部を圧迫する圧力との関係を用いて、測定した内圧から前記生体の一部を圧迫する圧力を算出する場合である。
【００６３】
本発明の第４の実施の形態の血圧測定方法は、本発明の第２の実施の形態の血圧測定方法において、第３の実施の形態の血圧計１０の圧力検出部３２及び算出部３５と同様の動作で、予め測定した前記内圧と前記生体の一部を圧迫する圧力との関係を用いて、測定した前記内圧から前記生体の一部を圧迫する圧力を算出する。上記以外は第２の実施の形態の血圧測定方法と同様である。
【００６４】
上記のように、第４の実施の形態の血圧測定方法では、予め測定した前記カフの前記内圧と前記生体の一部を圧迫する圧力との関係を用いて、測定した前記カフの内圧から前記生体の一部を圧迫する圧力を算出することにより、正確に血圧を測定することができる。
【００６５】
（第５の実施の形態）
本発明の第５の実施の形態の血圧計は、第１の実施の形態で説明した血圧計１０、又は第３の実施の形態で説明した血圧計１０が、前記生体の一部と前記カフの接触面に前記生体の一部を圧迫する圧力を検出する圧力センサをさらに備える場合である。
【００６６】
図６に、第５の実施の形態の血圧計の構成を示す。図６において、第５の実施の形態の血圧計１０は、図１に示す第１の実施の形態の血圧計１０の圧力検出部３２、空気パイプ１７及び信号線４１に代えて、圧力センサ３６及び信号線４５を備え、圧力センサ３６はカフ１１の生体圧迫面１２に備え、圧力センサ３６の出力端子を信号線４５により血圧演算部３４の圧力信号入力端子に接続した構成であり、第５の実施の形態の血圧計１０の上記以外の部分は図１に示す第１の実施の形態の血圧計１０と同様であるので、ここでは、圧力センサ３６の機能のみを説明する。
【００６７】
図６において、第５の実施の形態の血圧計１０の圧力センサ３６は、カフ１１の生体圧迫面１２に備え、カフ１１が生体１の一部を圧迫する圧力を検出し、検出したカフ１１が生体１の一部を圧迫する圧力を示す信号を血圧演算部３４へ送信する機能を有する。ここで、圧力センサ３６は、例えば歪ゲージあるいは圧力検出用のカフと圧力計などにより構成してもよい。
【００６８】
上記のように、第５の実施の形態の血圧計１０は、カフ１１の生体圧迫面１２に生体１の一部を圧迫する圧力を検出する圧力センサ３６を備えることにより、カフ１１が生体１の一部を圧迫する圧力を正確に検出することができるので、正確に血圧を測定することができる。
【００６９】
（第６の実施の形態）
本発明の第６の実施の形態の血圧測定方法は、第２の実施の形態の血圧測定方法、又は第４の実施の形態の血圧測定方法において、前記生体の一部と前記カフとの接触面で前記生体の一部を圧迫する圧力を検出する血圧測定方法である。
【００７０】
第６の実施の形態の血圧測定方法では、第５の実施の形態の血圧計１０の圧力センサ３６と同様な動作で、前記生体の一部と前記カフとの接触面で前記生体の一部を圧迫する圧力を検出する。上記以外は、第２の実施の形態の血圧測定方法又は第４の実施の形態の血圧測定方法と同様である。
【００７１】
上記のように、第６の実施の形態の血圧測定方法は、前記生体の一部と前記カフとの接触面で前記生体の一部を圧迫する圧力を検出することにより、前記生体の一部を圧迫する圧力を正確に検出できるので、正確に血圧を測定することができる。
【産業上の利用可能性】
【００７２】
本発明の血圧計は頭部だけでなく、抹消部で測定する血圧計や血圧測定方法として利用することができる。
【図面の簡単な説明】
【００７３】
【図１】本発明の実施の形態の血圧計の構成を示す図である。
【図２】本発明のカフの内圧とカフの生体圧迫圧の関係を示す図である。
【図３】本発明のカフの内圧とカフの生体圧迫圧の範囲を示す図である。
【図４】本発明のカフの内圧とカフの生体圧迫圧の範囲を示す図である。
【図５】本発明の実施の形態の血圧計の構成を示す図である。
【図６】本発明の実施の形態の血圧計の構成を示す図である。
【符号の説明】
【００７４】
１  生体
１０  血圧計
１１  カフ
１２  生体圧迫面
１３  カフ枠
１６  空気パイプ
１７  空気パイプ
２１  フレーム
３１  空気供給部
３２  圧力検出部
３３  脈波検出部
３４  血圧演算部
３５  算出部
３６  圧力センサ
４１  信号線
４２  信号線
４３  信号線
４４  信号線
４５  信号線
５１  カフＡ
５２  カフＡの血圧測定範囲
６１  カフＢ
６２  カフＢ血圧測定範囲
【図１】
2006280770.tif 000003
【図２】
2006280770.tif 000004
【図３】
2006280770.tif 000005
【図４】
2006280770.tif 000006
【図５】
2006280770.tif 000007
【図６】
2006280770.tif 000008